(57)【要約】【課題】撮像装置において、撮像画像の切抜き及び合成を行う際の手間を軽減する。【解決手段】画像合成装置は、エリア指定部と、エッジ抽出部と、輪郭生成部と、輪郭切抜部と、画像合成部とを有する。画像合成装置は、撮像画像中のエリア指定部によって指定された範囲のエッジの抽出（Ｓ１３）、又は撮像画像の全体のエッジの抽出を行う（Ｓ１４）。そして、抽出したエッジ情報に基づき生成された輪郭の中からユーザにより切抜きを行いたい輪郭が選択されると（Ｓ１５）、画像合成部は、選択された輪郭に基づく範囲に対して切抜きを行い、部分画像を形成する（Ｓ１６）。画像切抜処理の手順は、記憶装置に格納されている撮像画像に対しても同様の処理である。また、画像合成部は、切抜かれた部分画像と撮像画像とを合成して１つの画像を生成することができる。【選択図】図４
2008124830.tif 000002
【特許請求の範囲】
【請求項１】
レンズにより投影された被写体像を電気信号に変換する撮像素子と、
前記撮像素子を制御して、該撮像素子から出力されるアナログ画像信号に対して、ゲイン制御を行うと共に、ＡＤ変換を行いデジタル画像信号に変換するアナログフロントエンド部と、
前記アナログフロントエンド部から出力された前記デジタル画像信号に対して、各種の画像信号処理を行う画像信号処理部と、
前記画像信号処理部から出力された撮像画像のデータを格納する記憶部と、
撮像画像や各種のメッセージを表示するための表示部と、
２つの撮像画像を合成して１つの画像を生成する画像合成手段を有し、前記画像信号処理部から出力された撮像画像のデジタル信号が入力され、前記記憶部に格納されている撮像画像を読み出す機能を有すると共に、生成した画像を該記憶部に格納する機能を有する画像合成部とを備えた撮像装置において、
前記画像合成部は、
撮像画像中の被写体だけを含む範囲のエッジを抽出し、エッジ情報を生成するエッジ抽出手段と、
前記エッジ抽出手段により生成された前記エッジ情報に基づき、輪郭の生成を行う輪郭生成手段と、
前記輪郭生成手段により生成された輪郭に基づく範囲を切抜いて部分画像を形成する輪郭切抜手段とをさらに有し、
前記撮像素子により撮像された撮像画像中の被写体だけを含む範囲を切抜いて形成した部分画像を前景画像とし、前記記憶部に格納された撮像画像を背景画像とし、この前景画像と背景画像とを合成して、１つの画像を生成することができ、
前記記憶部に格納された被写体だけを含む範囲を切抜いて形成した部分画像を前景画像とし、前記撮像素子により撮像された撮像画像を背景画像として、この前景画像と背景画像とを合成して、１つの画像を生成することができ、
前記記憶部に格納された被写体だけを含む範囲を切抜いて形成した部分画像を前景画像とし、該記憶部に格納された撮像画像を背景画像として、この前景画像と背景画像とを合成して、１つの画像を生成することができ、
前記撮像素子により撮像された撮像画像中の被写体だけを含む範囲を切抜いて形成した部分画像を前景画像とし、この前景画像を前記記憶部に格納することができ、
前記記憶部に格納された撮像画像中の被写体だけを含む範囲を切抜いて形成した部分画像を前景画像とし、前記記憶部に格納された撮像画像を背景画像として、この前景画像と背景画像とを合成して、１つの画像を生成することができることを特徴とする撮像装置。
【請求項２】
被写体を撮像し、撮像画像のデータを取得する撮像手段と、
前記撮像手段から出力された前記撮像画像のデータに対して、各種の画像信号処理を行う画像信号処理部と、
前記画像信号処理部により生成された撮像画像のデータを格納する記憶部と、
２つの撮像画像を合成して１つの画像を生成する画像合成手段を有し、前記画像信号処理部から出力された撮像画像のデータが入力され、前記記憶部に格納されている撮像画像を読み出す機能を有すると共に、生成した画像を該記憶部に格納する機能を有する
画像合成部とを備えた撮像装置において、
前記画像合成部は、
撮像画像中の被写体を含む範囲のエッジを抽出し、このエッジに基づく輪郭を切抜いて部分画像を形成する部分画像形成手段を有し、
前記撮像手段により撮像された撮像画像、又は前記記憶部に格納された撮像画像の中の被写体を含む範囲を切抜いて形成した部分画像を前景画像とし、該撮像手段により撮像された撮像画像、又は前記記憶部に格納された撮像画像を背景画像とし、この前景画像と背景画像とを合成して、１つの画像を生成することができることを特徴とする撮像装置。
【請求項３】
前記部分画像形成手段は、
撮像画像中の被写体を含む範囲のエッジを抽出し、エッジ情報を生成するエッジ抽出手段と、
前記エッジ抽出手段により生成された前記エッジ情報に基づき、輪郭の生成を行う輪郭生成手段と、
前記輪郭生成手段により生成された輪郭に基づく範囲を切抜いて部分画像を形成する輪郭切抜手段とを含むことを特徴とする請求項２に記載の撮像装置。
【発明の詳細な説明】
【技術分野】
【０００１】
本発明は、撮像装置に関し、特に撮像画像の切抜き及び合成処理に関する。
【背景技術】
【０００２】
近年、デジタルカメラ等の撮像装置が普及しており、ユーザは、撮像装置を用いて撮像した撮像画像の切抜き及び合成を行うことが多い。従来の撮像装置１００を図１６に示す。この撮像装置１００は、レンズ１０２、撮像素子１０３、アナログフロントエンド装置１０４、画像信号処理装置１０５、画像合成装置１０６、表示装置１０７、記憶装置１０８、輪郭切抜装置１０９、及びタッチパネル装置１１０を備える。
【０００３】
撮像装置１００は、レンズ１０２を介して入射された光の情報を、ＣＣＤやＣＭＯＳセンサー等により構成された撮像素子１０３が光電変換を行うことにより撮像信号を生成し、この撮像信号に、アナログフロントエンド装置がゲイン制御やＡＤ変換等の処理を行った後、画像信号処理装置１０５に入力させ、各種の信号処理を行うことにより撮像画像データを生成するものである。生成されたデータは、表示装置１０７に表示されたり記憶装置１０８に格納されたりする。また、撮像装置１００は、画像合成装置１０６を用いて、撮像した撮像画像の切抜き及び合成を行うことができる。
【０００４】
撮像画像１００は、撮像画像中の任意の範囲を切抜いて部分画像を形成する場合、ユーザがタッチパネル装置１１０を操作することにより指定した撮像画像に対する切抜き範囲の輪郭を切抜くことにより部分画像を形成することができる。形成された部分画像は、画像合成装置１０６を用いて、記憶装置１０８に格納された撮像画像と合成され、１枚の画像として生成される。しかし、この撮像装置１００では、ユーザがタッチパネル装置１１０を操作しなければ、撮像画像中の切抜きを行う範囲を指定することができないため、部分画像の形成に手間がかかるという問題がある。
【０００５】
ところで、撮像画像の切抜き及び合成を行う方法としては、図１７に示すように、パソコン１３０に撮像装置１２０を接続し、撮像装置１２０が撮像した２枚の撮像画像のデータをパソコンに転送した後、ユーザが、パソコン１３０にインストールされている画像編集ソフトを操作することにより、撮像画像の切抜き及び合成を行う方法がある。しかし、この方法では、ユーザは、撮像画像をパソコンに転送した後、パソコンを操作しなければならず、撮像画像の切抜き及び合成の手間を軽減することができない。
【０００６】
上記問題に対して、特許文献１及び特許文献２には、撮像画像中の被写体を含む範囲の輪郭を抽出し、抽出した部分画像を保存することができると共に、この部分画像を前景画像とし、予め記憶された背景画像と合成して1つの画像を生成することができる撮像装置が開示されている。
【０００７】
また、特許文献３には、撮像画像中の人物を前景とし、前景以外を背景として抽出することができる撮像装置が開示されている。特許文献４には、背景が無地である撮像画像中から被写体の輪郭を抽出することができ、抽出した被写体を含む範囲の画像を前景画像とし、予め記憶された背景画像と合成することができる撮像装置が開示されている。
【０００８】
しかし、特許文献１乃至特許文献４に開示された撮像装置では、撮像画像から部分画像を形成する手間を軽減することができるが、予め記憶部に格納された部分画像と撮像画像との合成などができないため、パソコンに撮像データを転送することにより、ユーザがパソコンを操作することにより合成処理を行う必要があり、ユーザの手間を軽減できない。
【特許文献１】特開２００６−１２８７５４号公報
【特許文献２】特開２００５−２０４０１５号公報
【特許文献３】特開２００６−１８６９８３号公報
【特許文献４】特開２００５−２１７５１６号公報
【発明の開示】
【発明が解決しようとする課題】
【０００９】
本発明は、上記問題を解決するためになされたものであり、撮像画像の切抜き及び合成を行う際の手間を軽減することができる撮像装置を提供することを目的とする。
【課題を解決するための手段】
【００１０】
上記目的を達成するために請求項１の発明は、レンズにより投影された被写体像を電気信号に変換する撮像素子と、前記撮像素子を制御して、該撮像素子から出力されるアナログ画像信号に対して、ゲイン制御を行うと共に、ＡＤ変換を行いデジタル画像信号に変換するアナログフロントエンド部と、前記アナログフロントエンド部から出力された前記デジタル画像信号に対して、各種の画像信号処理を行う画像信号処理部と、前記画像信号処理部から出力された撮像画像のデータを格納する記憶部と、撮像画像や各種のメッセージを表示するための表示部と、２つの撮像画像を合成して１つの画像を生成する画像合成手段を有し、前記画像信号処理部から出力された撮像画像のデジタル信号が入力され、前記記憶部に格納されている撮像画像を読み出す機能を有すると共に、生成した画像を該記憶部に格納する機能を有する画像合成部とを備えた撮像装置において、前記画像合成部は、撮像画像中の被写体だけを含む範囲のエッジを抽出し、エッジ情報を生成するエッジ抽出手段と、前記エッジ抽出手段により生成された前記エッジ情報に基づき、輪郭の生成を行う輪郭生成手段と、前記輪郭生成手段により生成された輪郭に基づく範囲を切抜いて部分画像を形成する輪郭切抜手段とをさらに有し、前記撮像素子により撮像された撮像画像中の被写体だけを含む範囲を切抜いて形成した部分画像を前景画像とし、前記記憶部に格納された撮像画像を背景画像とし、この前景画像と背景画像とを合成して、１つの画像を生成することができ、前記記憶部に格納された被写体だけを含む範囲を切抜いて形成した部分画像を前景画像とし、前記撮像素子により撮像された撮像画像を背景画像として、この前景画像と背景画像とを合成して、１つの画像を生成することができ、前記記憶部に格納された被写体だけを含む範囲を切抜いて形成した部分画像を前景画像とし、該記憶部に格納された撮像画像を背景画像として、この前景画像と背景画像とを合成して、１つの画像を生成することができ、前記撮像素子により撮像された撮像画像中の被写体だけを含む範囲を切抜いて形成した部分画像を前景画像とし、この前景画像を前記記憶部に格納することができ、前記記憶部に格納された撮像画像中の被写体だけを含む範囲を切抜いて形成した部分画像を前景画像とし、前記記憶部に格納された撮像画像を背景画像として、この前景画像と背景画像とを合成して、１つの画像を生成することができるものである。
【００１１】
請求項２の発明は、被写体を撮像し、撮像画像のデータを取得する撮像手段と、前記撮像手段から出力された前記撮像画像のデータに対して、各種の画像信号処理を行う画像信号処理部と、前記画像信号処理部により生成された撮像画像のデータを格納する記憶部と、２つの撮像画像を合成して１つの画像を生成する画像合成手段を有し、前記画像信号処理部から出力された撮像画像のデータが入力され、前記記憶部に格納されている撮像画像を読み出す機能を有すると共に、生成した画像を該記憶部に格納する機能を有する画像合成部とを備えた撮像装置において、前記画像合成部は、撮像画像中の被写体を含む範囲のエッジを抽出し、このエッジに基づく輪郭を切抜いて部分画像を形成する部分画像形成手段を有し、前記撮像手段により撮像された撮像画像、又は前記記憶部に格納された撮像画像の中の被写体を含む範囲を切抜いて形成した部分画像を前景画像とし、該撮像手段により撮像された撮像画像、又は前記記憶部に格納された撮像画像を背景画像とし、この前景画像と背景画像とを合成して、１つの画像を生成することができるものである。
【００１２】
請求項３の発明は、請求項２に記載の撮像装置において、前記部分画像形成手段は、撮像画像中の被写体を含む範囲のエッジを抽出し、エッジ情報を生成するエッジ抽出手段と、前記エッジ抽出手段により生成された前記エッジ情報に基づき、輪郭の生成を行う輪郭生成手段と、前記輪郭生成手段により生成された輪郭に基づく範囲を切抜いて部分画像を形成する輪郭切抜手段とを含むものである。
【発明の効果】
【００１３】
請求項１の発明によれば、撮像画像中の被写体だけを含む範囲のエッジを自動的に抽出し、このエッジに基づく輪郭を切抜いて部分画像を形成することができるので、従来のようにユーザがタッチペン等を用いて、撮像画像中の被写体を含む範囲を指定することなしに、撮像画像を切抜くことができ、部分画像を形成する手間を軽減することができる。
【００１４】
また、撮像画像中の被写体だけを含む範囲を切抜いて形成した部分画像を前景画像とし、記憶部に格納された撮像画像を背景画像とし、１つの画像を生成することができ、記憶部に格納された被写体だけを含む範囲を切抜いて形成した部分画像を前景画像とし、撮像画像を背景画像として、１つの画像を生成することができる。また、記記憶部に格納された被写体だけを含む範囲を切抜いて形成した部分画像を前景画像とし、記憶部に格納された撮像画像を背景画像として、１つの画像を生成することができ、撮像画像中の被写体だけを含む範囲を切抜いて形成した部分画像を前景画像とし、この前景画像を前記記憶部に格納することができる。また、記憶部に格納された撮像画像中の被写体だけを含む範囲を切抜いて形成した部分画像を前景画像とし、前記記憶部に格納された撮像画像を背景画像として、１つの画像を生成することができる。そのため、パソコン等の機器を使用することなしに、撮像装置だけで撮像画像の合成を行うことができるので、撮像画像の合成を行う手間を軽減させることができる。
【００１５】
請求項２の発明によれば、撮像画像中の被写体を含む範囲のエッジを自動的に抽出し、このエッジに基づく輪郭を切抜くことにより部分画像を形成することができるので、従来のようにユーザがタッチペン等を用いて、撮像画像中の被写体を含む範囲を指定することなしに、撮像画像を切抜くことができ、部分画像を形成する手間を軽減することができる。
【００１６】
また、撮像手段により撮像された撮像画像、又は記憶部に格納された撮像画像の中の被写体を含む範囲を切抜いて形成した部分画像を前景画像とし、撮像手段により撮像された撮像画像、又は記憶部に格納された撮像画像を背景画像とし、この前景画像と背景画像とを合成して、１つの画像を生成することができる。そのため、パソコン等の機器を使用することなしに、撮像装置だけで撮像画像の合成を行うことができるので、撮像画像の合成を行う手間を軽減させることができる。
【００１７】
請求項３の発明によれば、請求項２の発明と同様の効果を得ることができる。
【発明を実施するための最良の形態】
【００１８】
以下、本発明の一実施形態について図１及び図２を参照して説明する。図１は撮像装置１の構成を示し、図２は、画像合成装置６の構成を示す。
【００１９】
撮像装置１は、レンズ２により投影された被写体像を電気信号に変換するＣＣＤを含む撮像素子（撮像手段）３と、アナログフロントエンド装置（アナログフロントエンド部）４と、画像信号処理装置（画像信号処理部）５と、画像合成装置（画像合成部、部分画像形成手段）６と、表示装置（表示部）７と、記憶装置（記憶部）８と、操作装置９とを備える。また、撮像装置１は、撮像のみを行う撮像モードと、撮像画像の切抜き及び合成を行う画像合成モード等の各種モードを有しており、それぞれのモードに応じて各装置は機能する。
【００２０】
アナログフロントエンド装置４は、撮像素子３を制御して、撮像素子３から出力されるアナログ画像信号に対して、ゲイン制御等を行うと共にＡＤ変換を行うことによりデジタル画像信号に変換し、この信号を画像信号処理装置５に出力するものである。画像信号処理装置５は、アナログフロントエンド装置４から出力されたデジタル画像信号に対して、輝度・色差信号処理、輪郭補正処理、ホワイトバランス処理等の各種の画像信号処理を行うものである。記憶装置８は、画像信号処理装置５から出力された撮像画像のデータを格納するものである。操作装置９はボタン（図示せず）を有する。操作装置９が、ユーザによって操作されることにより、撮像モードや画像合成モード等の選択や撮像装置１の各種の処理の制御が行われる。
【００２１】
表示装置７は、撮像画像や各種のメッセージを表示するものである。画像合成装置６は、画像信号処理装置５から出力されたデジタル画像信号が入力され、記憶装置８に格納されている撮像画像を読み出すことができると共に、生成した画像を記憶装置８に格納したり、表示装置７に表示させたりすることができるものである。また、画像合成装置６は、後述するように、２つの撮像画像を合成して１つの画像を生成する処理や、撮像画像の切抜きを行うことにより部分画像を形成する処理、合成された画像や部分画像を記憶装置８に格納したり、表示装置７に表示させたりする処理を行うことができる。
【００２２】
画像合成装置６は、図２に示すように、エリア指定部１１と、エッジ抽出部（エッジ抽出手段）１２と、輪郭生成部（輪郭生成手段）１３と、輪郭切抜部（輪郭切抜手段）１４と、画像合成部（画像合成手段）１５とを有する。
【００２３】
エリア指定部１１は、撮像画像中のエッジ抽出を行いたい範囲を指定することができるものである。エッジ抽出部１２は、撮像画像中のエリア指定部１１によって指定された範囲、又は撮像画像の全体のエッジを抽出し、エッジ情報を生成するものである。撮像画像中のエリア指定部１１によって指定された範囲内のエッジを抽出する場合、撮像画像の全体のエッジを抽出する場合と比較して、ユーザが切抜きを行いたい輪郭を生成するためのエッジ情報を正確に得られることが多く、エッジ抽出効率がよい。なお、ユーザは、操作手段９を操作することにより、画像中のエリアを指定することができる。また、エリア指定部１１及びエッジ抽出部１２は、記憶装置８に格納されている撮像画像に対しても同様の処理を行うことができる。
【００２４】
輪郭生成部１３は、エッジ抽出部１２により生成されたエッジ情報に基づき、輪郭の生成を行うものである。輪郭切抜部１４は、輪郭生成部１３により生成された輪郭に基づく範囲を切抜いて部分画像を形成するものである。なお、撮像画像中に被写体以外も撮像されている場合、輪郭生成部１３は複数の輪郭を生成する。そのため、輪郭切抜部１４は、ユーザが操作装置９を操作することにより選択した輪郭に対して切抜きを行うことにより部分画像を形成する。画像合成部１５は、２つの撮像画像を合成して１つの画像を生成するものである。なお、撮像画像を切抜くことにより部分画像を生成しない場合、画像合成部１５のみに撮像画像のデータが送られる。
【００２５】
次に、撮像素子３により撮像された撮像画像を切抜いた部分画像と、記憶装置８に格納された撮像画像との画像合成処理について、図３を参照して説明する。なお、ここでは、撮像装置１は、画像合成モードに予め設定されているものとする。ユーザが操作装置９を用いて、記憶装置８に格納されている撮像画像の中から背景画像とする撮像画像を選択した後（Ｓ１）、被写体を撮像すると（Ｓ２）、撮像装置１は、撮像した撮像画像に対して、画像切抜処理により部分画像を生成し（Ｓ３）、この部分画像を前景画像とし、この前景画像と上記Ｓ１で選択した背景画像とを合成して１つの画像を生成する（Ｓ４）。なお、上記Ｓ３に示す画像切抜処理の詳細については後述する。
【００２６】
次に、上記Ｓ３に示した画像切抜処理の詳細について、図４を参照して説明する。切抜を行う撮像画像に対してエリアの指定を行う場合（Ｓ１１でＹＥＳ）、ユーザが操作装置９を走査することにより撮像画像に対して切抜きを行いたいエリアが指定され（Ｓ１２）、指定された撮像画像の範囲に対してエッジの抽出が行われる（Ｓ１３）。一方、エリアを指定しない場合（Ｓ１１でＮＯ）、上記Ｓ１２及びＳ１３の処理は行わず、撮像画像の全体に対して、エッジの抽出が行われる（Ｓ１４）。そして、抽出したエッジ情報に基づき生成された輪郭の中からユーザにより切抜きを行いたい輪郭が選択され（Ｓ１５）、選択された輪郭に基づく範囲に対して切抜きを行い部分画像が形成される（Ｓ１６）。この際、ユーザは操作装置９を用いて、選択された輪郭の内側を切抜くのか外側を切抜くのか選択することができる。なお、画像切抜処理の手順は、記憶装置８に格納されている撮像画像に対しても同様である。
【００２７】
次に、前出の図３及び図４に示した画像処理に対応する撮像画像の状態について、図５乃至図１１を参照して説明する。図５乃至図１１は、各処理後の撮像画像の状態を示す。図５は、上記Ｓ１において選択された撮像画像を示し、図６は、上記Ｓ２において撮像された撮像画像を示す。
【００２８】
上記Ｓ３の画像切抜処理において、撮像画像中の被写体を矩形で囲む範囲をエリアとして指定した場合、上記Ｓ１３において抽出された撮像画像のエッジは図７に示す状態となる。一方、エリアを指定しない場合、上記Ｓ１４において抽出された撮像画像のエッジは図８に示す状態となる。上記Ｓ１５において、抽出されたエッジから被写体だけを含む範囲の輪郭を選択した場合、選択された輪郭は図９に示す状態となる。上記Ｓ１６において、選択された輪郭の範囲を切抜いた部分画像は、図１０に示す状態となる。上記Ｓ４において、前出の図１０を前景画像とし、前出の図５を背景画像とし、これらの画像を合成して生成された画像は、図１１に示す画像となる。
【００２９】
次に、記憶装置８に格納された部分画像と、撮像素子３により撮像された撮像画像との画像合成処理について、図１２を参照して説明する。なお、ここでは、撮像装置１は、画像合成モードに予め設定されているものとする。記憶装置８に格納されている撮像画像の中から被写体だけを含む範囲に切抜きされた部分画像をユーザが操作装置９を用いて選択した後（Ｓ２１）、撮像画像を撮像する（Ｓ２２）。そして、撮像装置１は、上記Ｓ２１で選択した部分画像を前景画像とし、上記Ｓ２２で撮像した撮像画像を背景画像として、これらの画像を合成して１つの画像を生成する（Ｓ２３）。なお、上記Ｓ２１で選択された撮像画像を前出の図１０とし、上記Ｓ２２で撮像した撮像画像を前出の図５とした場合、上記Ｓ２３で生成される画像は前出の図１１となる。
【００３０】
次に、記憶装置８に格納された部分画像と、記憶装置８に格納された撮像画像との画像合成処理について、図１３を参照して説明する。なお、ここでは、撮像装置１は、画像合成モードに予め設定されているものとする。記憶装置８に格納されている撮像画像の中から被写体だけを含む範囲に切抜きされた部分画像をユーザが操作装置９を用いて選択した後（Ｓ３１）、記憶装置８に格納されている撮像画像の中から背景画像とする撮像画像をさらに選択する（Ｓ３２）。そして、撮像装置１は、上記Ｓ３１で選択した部分画像を前景画像とし、上記Ｓ３２で選択した撮像画像を背景画像として、これらの画像を合成して１つの画像を生成する（Ｓ３３）。なお、上記Ｓ３１で選択された撮像画像を前出の図１０とし、上記Ｓ３２で選択した撮像画像を前出の図５とした場合、上記Ｓ３３で生成される画像は前出の図１１となる。
【００３１】
次に、切抜きされた部分画像の表示・格納処理について、図１４を参照して説明する。なお、ここでは、撮像装置１は、画像合成モードに予め設定されているものとする。被写体を撮像し（Ｓ４１）、撮像した画像に対して、画像切抜処理により部分画像を生成し（Ｓ４２）、生成した部分画像を表示装置７に表示すると共に記憶装置８に格納する（Ｓ４３）。なお、画像切抜処理Ｓ４１は、前出の図４に示した処理と同様であり説明を省略する。また、上記Ｓ４１で撮像された撮像画像を前出の図６とした場合、上記Ｓ４２で形成された部分画像は前出の図１０となり、この画像が表示装置７に表示されると共に、記憶装置８に格納される。
【００３２】
次に、記憶装置８に格納された撮像画像を切抜いた部分画像と、記憶装置８に格納された撮像画像との画像合成処理について、図１５を参照して説明する。なお、ここでは、撮像装置１は、画像合成モードに予め設定されているものとする。記憶装置８に格納されている撮像画像の中から切抜きを行う撮像画像を選択した後（Ｓ５１）、撮像した画像に対して、画像切抜処理を行うことにより部分画像を生成する（Ｓ５２）。そして、記憶装置８に格納されている撮像画像の中からユーザが操作装置９を用いて背景画像とする画像を選択すると（Ｓ５３）、ユーザが操作装置９を用いて上記Ｓ５２で生成した部分画像を前景画像とし、上記Ｓ５３で選択した背景画像と合成して１つの画像を生成する（Ｓ５４）。なお、画像切抜処理Ｓ５２は、前出の図４に示した処理と同様であり説明を省略する。また、上記Ｓ５１で選択された撮像画像を前出の図６とし、上記Ｓ５２で形成された部分画像を前出の図１０とし、上記Ｓ５３で選択された撮像画像を前出の図５とした場合、上記Ｓ５４で生成される画像は前出の図１１となる。
【００３３】
上記のように、本実施形態に係る撮像装置１によれば、撮像画像中の被写体を含む範囲のエッジを自動的に抽出し、このエッジに基づく輪郭を切抜いて部分画像を形成することができるので、従来のようにユーザがタッチペン等を用いて、撮像画像中の被写体を含む範囲を指定することなしに、撮像画像を切抜くことができ、部分画像を形成する際のユーザの手間を軽減することができる。
【００３４】
また、撮像画像中の被写体だけを含む範囲を切抜いて形成した部分画像を前景画像とし、記憶部に格納された撮像画像を背景画像とし、１つの画像を生成することができ、記憶装置８に格納された被写体だけを含む範囲を切抜いて形成した部分画像を前景画像とし、撮像画像を背景画像として、１つの画像を生成することができる。また、記憶装置８に格納された被写体だけを含む範囲を切抜いて形成した部分画像を前景画像とし、記憶装置８に格納された撮像画像を背景画像として、１つの画像を生成することができ、撮像画像中の被写体だけを含む範囲を切抜いて形成した部分画像を前景画像とし、この前景画像を記憶装置８に格納することができる。
【００３５】
また、記憶装置８に格納された撮像画像中の被写体だけを含む範囲を切抜いて形成した部分画像を前景画像とし、記憶装置８に格納された撮像画像を背景画像として、１つの画像を生成することができる。そのため、ユーザがパソコン等の機器を使用することなしに、撮像装置１だけで撮像画像の合成を行うことができるので、撮像画像の合成を行う際のユーザの手間を軽減させることができる。
【００３６】
なお、上記実施形態では、本発明を静止画の撮像データを保存する撮像装置に適用した場合の例を示したが、これに限られない。
【図面の簡単な説明】
【００３７】
【図１】本発明の一実施形態に係る撮像装置の概略構成を示すブロック図。
【図２】上記撮像装置の画像合成装置の内部構成を示すブロック図。
【図３】上記撮像装置における画像合成の手順を示すフローチャート。
【図４】上記画像合成処理における画像切抜処理の手順を示すフローチャート。
【図５】上記撮像装置における撮像画像を示す図。
【図６】上記撮像装置における撮像画像のエリア選択範囲を示す図。
【図７】上記撮像装置における撮像画像のエッジ抽出状態を示す図。
【図８】上記撮像装置における撮像画像の輪郭選択状態を示す図。
【図９】上記撮像装置における撮像画像の輪郭切抜状態を示す図。
【図１０】上記撮像装置における前景画像を示す図。
【図１１】上記撮像装置における合成画像を示す図。
【図１２】上記撮像装置における画像合成の手順を示すフローチャート。
【図１３】上記撮像装置における画像合成の手順を示すフローチャート。
【図１４】上記撮像装置における切抜画像の表示・格納の手順を示すフローチャート。
【図１５】上記撮像装置における画像合成の手順を示すフローチャート。
【図１６】従来の撮像装置の概略構成を示すブロック図。
【図１７】上記撮像装置と外部機器との接続状態を示す説明図。
【符号の説明】
【００３８】
１  撮像装置
２  レンズ
３  撮像素子（撮像手段）
４  アナログフロントエンド装置（アナログフロントエンド部）
５  画像信号処理装置（画像信号処理部）
６  画像合成装置（画像合成部、部分画像形成手段）
７  表示手段（表示部）
８  記憶装置（記録部）
１１  エリア抽出部（エリア抽出手段）
１２  エッジ抽出部（エッジ抽出手段）
１３  輪郭生成部（輪郭生成手段）
１４  輪郭切抜部（輪郭切抜手段）
１５  画像合成部（画像合成手段）
【図１】
2008124830.tif 000003
【図２】
2008124830.tif 000004
【図３】
2008124830.tif 000005
【図４】
2008124830.tif 000006
【図５】
2008124830.tif 000007
【図６】
2008124830.tif 000008
【図７】
2008124830.tif 000009
【図８】
2008124830.tif 000010
【図９】
2008124830.tif 000011
【図１０】
2008124830.tif 000012
【図１１】
2008124830.tif 000013
【図１２】
2008124830.tif 000014
【図１３】
2008124830.tif 000015
【図１４】
2008124830.tif 000016
【図１５】
2008124830.tif 000017
【図１６】
2008124830.tif 000018
【図１７】
2008124830.tif 000019